(57)【要約】【課題】トマトなどの植物の茎や枝を誘引するための紐を容易に結び付けることができる誘引紐吊り具を提供する。【解決手段】誘引紐吊り具１は、一本の針金で形成され、縦軸部２と、この縦軸部２の上部に連続するフック部３と、縦軸部２の下部に連続する誘引紐結合部４とを具備する。誘引紐結合部４は、縦軸部２の下部に連続し、これに密着してほぼ円形に３６０°以上湾曲したループ部５と、このループ部５の端に連続しこれとほぼ平行に形成される張り出し６部とを具備する。張り出し部６は、ループ部５の端に連続し、それから離れる方向へ延びる延出部７と、この延出部７の端から屈曲してループ部５より上方まで延びる上伸部８と、この上伸部８の端から屈曲して下降し先端部がループ部５の上部側面に密着する下降部９とを具備する。【選択図】図３
2018143187.tif 000002
【特許請求の範囲】
【請求項１】
折り曲げられた１本の針金から構成され、縦軸部と、この縦軸部の上部に連続するフック部と、前記縦軸部の下部に連続する誘引紐結合部とを具備し、
前記誘引紐結合部は、前記縦軸部の下部に連続し、これに密着してほぼ円形に３６０°以上湾曲し３６０°を超えた湾曲部分の側面同士が密着重合するループ部と、このループ部の端に連続しループ部とほぼ平行に形成される張り出し部とを具備し、
前記張り出し部は、前記ループ部の端に連続しループ部から離れる方向へ延びる延出部と、この延出部の端から屈曲して前記ループ部より上方まで延びる上伸部と、この上伸部の端から屈曲して下降し先端部が前記ループ部の上部側面に密着する下降部とを具備することを特徴とする植物の誘引紐吊り具。
【請求項２】
前記張り出し部の前記延出部は、前記ループ部の端に連続しループ部から離れる方向へ直線状に延び、
前記張り出し部の前記上伸部は、前記延出部の端から屈曲して前記ループ部より上方まで直線状に延び、
前記張り出し部の前記下降部は、前記上伸部の端から屈曲して直線状に下降し先端部が前記ループ部の上部側面に密着することを特徴とする請求項１記載の植物の誘引紐吊り具。
【発明の詳細な説明】
【技術分野】
【０００１】
本発明は、トマト等の植物の茎や枝が自重で地面に垂れ下がらないように、上方に張られた吊り線に誘引用紐を介して吊り上げる際に、当該誘引紐の上端部に結合される誘引紐吊り具に関する。
【背景技術】
【０００２】
従来、植物の誘引紐吊り具として、例えば特許文献１に記載されたものが知られている。この誘引紐吊り具は、一本の針金を屈曲させて形成され、縦軸部の上部に吊り線に掛けるフック部が設けられ、縦軸部の下部に誘引紐結合部が設けられる。誘引紐結合部は、縦軸部の下部に、円形に３６０°以上湾曲したほぼ円形のループ部を、縦軸部に密着するように形成したものである。
この誘引紐吊り具は、誘引紐を下部の誘引紐結合部に結合するとき、まず、片手でフック部側を持ち、他方の手で、逆Ｕ字状に輪を作った誘引紐の先端部を縦軸部とループ部との密着部間に引き込んで挟持させ、次いで、誘引紐の基端側を巻き上げて縦軸部とループとの密着部間に引き込むことにより、最初に引き込んだ輪と、次に引き込んだ輪が、ループの同じ箇所で絡まって、固いコブになる。誘引紐の基端側を強く引けば引くほど、コブが固く締まり、縦軸部とループ部との密着部間を通過できない。そのため、誘引紐に大きな荷重がかかっても、誘引紐が外れることはない。この誘引紐の巻き付け作業は、片方の手で連続して行える。
【先行技術文献】
【特許文献】
【０００３】
【特許文献１】実用新案登録第３１１６８７５号号公報
【発明の概要】
【発明が解決しようとする課題】
【０００４】
上記従来の掛金装置は、誘引紐の先端側の逆Ｕ字状の輪を縦軸部とループ部との間に引き込んだ後、誘引紐の基端側を巻き上げて縦軸部とループ部との間に引き込む際に、紐の曲げ剛性が比較的高いなどの原因で、巻き上げた輪が縮小しにくかったり、ループ部の湾曲面を滑ったりして、比較的小半径のループ部に掛かりにくく、縦軸部との間に引き込みにくい場合がある。
したがって、本発明は、誘引紐の基端側を巻き上げて縦軸部とループ部との間に引き込む際に、どのような誘引紐でも、確実にループ部に掛けることができる植物の誘引紐吊り具を提供することを目的としている。
【課題を解決するための手段】
【０００５】
以下、添付図面の符号を参照して説明するが、本発明はこれに限定されるものではない。
上記課題を解決するための、本発明の誘引紐吊り具１は、一本の針金を曲げて形成され、縦軸部２と、この縦軸部２の上部に連続するフック部３と、縦軸部２の下部に連続する誘引紐結合部４とを具備する。誘引紐結合部４は、縦軸部２の下部に連続するループ部と、張り出し部６とを具備する。ループ部５は、縦軸部２の下部に密着してほぼ円形に３６０°以上湾曲し、３６０°を超えた湾曲部分が互いに密着重合する。張り出し部６は、このループ部５の端に連続しループ部５とほぼ平行に形成される。張り出し部６は、ループ部５の端に連続し、ループ部５から離れる方向へ延びる延出部７と、この延出部７の端から屈曲してループ部５より上方まで延びる上伸部８と、この上伸部８の端から屈曲して下降し先端部がループ部５の上部側面に密着する下降部９とを具備する。
【発明の効果】
【０００６】
本発明の誘引紐吊り具１は、円形に湾曲したループ部５から側方へ突出する張り出し部６を有するため、誘引紐１２の基端側を巻き上げて縦軸部２とループ部５との間に引き込む際に、この張り出し部６に、確実に紐１２の輪を掛けて、ループ部５に誘導することができる。
【図面の簡単な説明】
【０００７】
【図１】本発明に係る誘引紐吊り具を示すもので、（ａ）は正面図、（ｂ）は左側面図、（ｃ）は背面図、（ｄ）は右側面図である。
【図２】第１ステップを経て、図１の誘引紐吊り具に誘引紐を掛けた状態を示すもので、（ａ）は正面図、（ｂ）は側面図である。
【図３】図１の誘引紐吊り具に誘引紐を結合する方法の第１ステップを示す斜視図である。
【図４】図１の誘引紐吊り具に誘引紐を結合する方法の第２ステップを示す斜視図である。
【図５】図１の誘引紐吊り具に誘引紐を取り付ける方法の第３ステップを示す斜視図である。
【図６】誘引紐を結合した図１の誘引紐吊り具を吊り線に掛けた状態を示す正面図である。
【図７】図１の誘引紐吊り具で植物の茎を誘引している状態を示す説明図である。
【図８】図１の誘引紐吊り具から誘引紐を外すときの操作の第１ステップを示す説明図である。
【図９】図１の誘引紐吊り具から誘引紐を外すときの操作の第２ステップを示す説明図である。
【発明を実施するための形態】
【０００８】
図面を参照して本発明の実施の形態を説明する。
誘引紐吊り具１は、一本の針金を曲げて形成され、縦軸部２と、この縦軸部２の上部に連続するフック部３と、縦軸部２の下部に連続する誘引紐結合部４とを具備する。
【０００９】
誘引紐結合部４は、縦軸部３の下部に連続し、これに密着してほぼ円形に３６０°以上湾曲したループ部５と、このループ部５の端に連続しループ部５とほぼ平行に形成される張り出し部６とを具備する。
【００１０】
ループ部５は、縦軸部３の下部の湾曲始端から３６０°を超えて湾曲した部分の側面同士が互いに密着重合した重なり部分５ａを有する。
【００１１】
張り出し部６は、延出部７、上伸部８、下降部９を具備する。延出部７は、ループ部５の重なり部分５ａの端に連続し、ループ部５から離れるように斜め下方へ直線状に延びる。上伸部８は、延出部７の端から屈曲して縦軸部２と平行に、ループ部５より上方まで直線状に延びる。下降部９は、上伸部８の上端から屈曲し、ループ部５に向かって斜めに下降し、先端部がループ部５の上部側面に密着する。
【００１２】
以上の構成の誘引紐吊り具１に誘引紐１２を結合する方法を図２ないし図５を用いて説明する。図２は、誘引紐吊り具１に誘引紐１２を結合する方法の第１ステップを示すもので、（ａ）は正面図、（ｂ）は左側面図、図３は誘引紐吊り具１に誘引紐１２を結合する方法の第２ステップを示す斜視図である。
【００１３】
まず、図３に示すように、片手でフック部３側を持ち、他方の手で、誘引紐１２の先端側１２ａを曲げて逆Ｕ字状に輪を作り、縦軸部２の下部とループ部５との重なり部分５ａに、輪を掛ける。この状態で、強く下方へ引けば、誘引紐１２の輪は、ループ部５の重なり部分５ａに引き入れられる。これにより、誘引紐１２の先端側は、ループ部５の重なり部分５ａに挟まれて保持され、図２の状態となる（第１のステップ）。
【００１４】
次いで、図４に示すように、誘引紐１２の基端側１２ｂを、輪を作るように巻き上げ（第２のステップ）、図５に示すように、もう一度ループ部５の重なり部分５ａに引き込むと、図６に示すように、最初に引き込んだ輪と次に引き込輪がループ部５の下端部付近の同じ箇所で絡まり、固いコブ１０になる（第３のステップ）。誘引紐１２の基端側１２ｂを強く引けば引くほど、紐１２の絡みが強くなり、ループ部５の一巻目と二巻目の重なり部分５ａをコブ１０が通過できない。そのため、誘引紐１２に大きな荷重がかかっても、誘引紐１２がループ部５から外れることはない。
【００１５】
紐１２が合成樹脂製で、曲げ剛性が比較的高い場合等には、図４に示すように、片手で二巻目の輪を作る際に、紐１２がループ部５に係り易い小さな半径の輪になりにくいことがある。半径の比較的小さいループ部５だけを有する吊り具では、大きな曲率で曲がった紐１２の基端側１２ｂを下方へ引くと、その途上で輪が崩れてしまい、片手でループ部５に掛けることが難しい。この実施形態の吊り具１においては、このような場合、張り出し部６がループ部５から比較的大きく前方へ突出しているので、大きな輪でも張り出し部６へ掛け易い。張り出し部６に掛かれば、紐１２は、ループ部５へ容易に誘導することができる。
【００１６】
なお、図示しないが、ループ部５に誘引紐１２の先端側１２ａを通した後、基端側１２ｂを巻き上げて、その輪をループ部５の重なり部分５ａに引き込む方法によっても、吊り具１に容易に誘引紐１２を結合することができる。したがって、吊り具１を使用してこれに誘引紐１２を結合する具体的方法は問わない。
【００１７】
図６は、誘引紐１２を結び付けた誘引紐吊り具１を、誘引線１１に掛けた状態を示す側面図、図７は、本実施の形態の誘引紐吊り具１で、トマトのような植物Ｐの茎を誘引している状態を示す説明図である。
【００１８】
図８および図９は、誘引して栽培したトマトなどの収穫後に、誘引紐吊り具１から誘引紐１２を外すときの操作を示す説明図である。まず、図８に示すように、一方の手の指でフック部３をつまみ、他方の手の指で、誘引紐１２のコブ１０の部分をループ部５から縦軸部２の方向に移動させる。そうすると、図９に示すように、ループ部５の挟持力がなくなるので、コブ１０は縦軸部２の下端部でほどけ、簡単に誘引紐１２が吊り具１から外れる。
【符号の説明】
【００１９】
１      誘引紐吊り具
２      縦軸部
３      フック部
４      誘引紐結合部
５      ループ部
５ａ    重なり部
６      張り出し部
７      延出部
８      上伸部
９      下降部
１０    コブ
１１    誘引線
１２    誘引紐
１２ａ  先端側
１２ｂ  基端側
Ｐ      植物
【図１】
2018143187.tif 000003
【図２】
2018143187.tif 000004
【図３】
2018143187.tif 000005
【図４】
2018143187.tif 000006
【図５】
2018143187.tif 000007
【図６】
2018143187.tif 000008
【図７】
2018143187.tif 000009
【図８】
2018143187.tif 000010
【図９】
2018143187.tif 000011